(57)【特許請求の範囲】
【請求項１】
複数の副電子機器と、上記副電子機器を制御する制御信号を伝送する主電子機器とを備えた電子機器システムにおいて、
上記主電子機器は、上記主電子機器の電源の遮断を行う操作釦の操作がなされたか否かを判別する第１の判別手段と、上記第１の判別手段にて上記主電子機器の電源の遮断を行う操作釦が押圧されたと判断された場合には、上記主電子機器の電源の遮断を行う操作釦が所定時間以上押圧されたか否かを判断する第２の判別手段と、上記第２の判別手段にて上記主電子機器の電源の遮断を行う操作釦が上記所定時間以上押圧されたと判断された場合には、全電源遮断リクエスト信号の発生を要求する全電源遮断送信リクエスト信号を上記副電子機器に送信する送信手段とを備え、
上記副電子機器は、上記主電子機器からの上記全電源遮断送信リクエスト信号を受信する受信手段と、受信された上記全電源遮断送信リクエスト信号に対して、全電源遮断リクエスト信号を上記主電子機器に送信する送信手段と
を備えてなる電子機器システム。
【請求項２】
上記主電子機器は、上記副電子機器からの上記全電源遮断リクエスト信号を受信する受信手段と、上記全電源リクエスト信号を受信すると、上記副電子機器の電源を遮断するための電源遮断リクエスト信号を全ての上記副電子機器に送信する手段を備え、
上記副電子機器は、上記電源遮断リクエスト信号を受信する受信手段と、上記電源遮断リクエスト信号が受信されると、上記電源遮断リクエスト信号に応じて電源の遮断を制御する制御手段と
を備えてなる請求項１に記載の電子機器システム。
【請求項３】
複数の副電子機器と、上記副電子機器を制御する制御信号を伝送する主電子機器とを備えた電子機器システムの制御方法において、
上記主電子機器は、上記主電子機器の電源の遮断を行う操作釦の操作がなされたか否かを判別し、上記主電子機器の電源の遮断を行う操作釦が押圧されたと判断された場合には、上記主電子機器の電源の遮断を行う操作釦が所定時間以上押圧されたか否かを判断し、上記主電子機器の電源の遮断を行う操作釦が上記所定時間以上押圧されたと判断された場合には、全電源遮断リクエスト信号の発生を要求する全電源遮断送信リクエスト信号を上記副電子機器に送信し、
上記副電子機器は、上記主電子機器からの上記全電源遮断送信リクエスト信号が受信されたら、上記全電源遮断送信リクエスト信号に対して、全電源遮断リクエスト信号を上記主電子機器に送信する
ようにした電子機器システムの制御方法。
【請求項４】
上記主電子機器は、上記副電子機器からの上記全電源遮断リクエスト信号を受信し、上記全電源リクエスト信号を受信すると、上記副電子機器の電源を遮断するための電源遮断リクエスト信号を全ての上記副電子機器に送信し、
上記副電子機器は、上記電源遮断リクエスト信号が受信されると、上記電源遮断リクエスト信号に応じて電源の遮断を制御する
ようにした請求項３に記載の電子機器システムの制御方法。
【発明の詳細な説明】
【０００１】
【発明の属する技術分野】
この発明は、例えば、親機のオーディオ機器と子機のオーディオ機器とを離れた所に配置し、親機から子機に無線によりオーディオ信号を伝送するようにした電子機器システム及びその制御方法に関するもので、特に、このようなシステムの電源の制御に係わる。
【０００２】
【従来の技術】
親機となるオーディオ機器と子機となるオーディオ機器を夫々離れた所に設置して、親機から子機に無線でオーディオ信号を送り、親機側で再生した信号を子機側で聞けるようにしたオーディオ再生システムが提案されている。このようなシステムでは、例えば親機がコンパクトディスクを再生するＣＤ再生装置の場合、親機でコンパクトディスクが再生され、この再生されたオーディオデータが各子機に向けて無線で送られる。各子機でこの信号が受信され、復調される。各子機で復調されたオーディオ信号は、各子機側のアンプで増幅され、各子機側のスピーカに供給される。各子機のスピーカからは、親機で再生されたコンパクトディスクの再生音が出力される。
【０００３】
このように、親機から子機にオーディオ信号を無線で送るようにしたオーディオ再生システムを構築する場合、親機で再生されたアナログオーディオ信号をＦＭ変調して子機に送るような構成とすることが考えられる。ところが、アナログオーディオ信号をＦＭ変調して送ると、親機と子機とが離れた所にある場合や、壁等の障害物がある場合には、電波が弱くなり、ノイズが発生しやすい。また、アナログオーディオ信号をＦＭ変調して送る場合には、干渉や混信の影響を受けやすい。
【０００４】
そこで、本願出願人は、親機から子機にオーディオ信号を送る際に、ディジタルオーディオ信号をスペクトラム拡散し、ＣＤＭＡ（Code Division Multiple Access ）方式で送ることを提案している。親機から子機にディジタルオーディオ信号をＣＤＭＡ方式で伝送すると、ノイズの影響が軽減され、音質が向上すると共に、ＣＤＭＡ方式を用いると、干渉や混信の影響を殆ど受けることがなくなり、親機と子機とが離れた所にあるような場合でも、良好な音質を保つことができる。
【０００５】
更に、このようにＣＤＭＡ方式でディジタルオーディオ信号を伝送するようなオーディオ再生システムでは、各子機で親機との間で制御信号をやり取りすることができるため、各子機で親機の動作を無線で設定し、子機側で好みの音楽を選択して、音楽再生を楽しむことができる。
【０００６】
【発明が解決しようとする課題】
ところが、上述のように、親機を複数台設け、更に、各親機に対して複数の子機があるような構成とすると、システム全体の電源をオン／オフすることが困難になる。すなわち、このようなシステムでは、親機からのディジタルオーディオ信号を子機側で受信してオーディオ再生を行うためには、各親機や子機の電源のオン／オフを個々に制御する必要がある。ところが、親機と各子機は離れた所にあるため、親機や子機の電源のオン／オフ制御を各機器毎に個々に制御することは困難である。したがって、１つの親機や子機の制御で、システムを構成する各機器全体のオン／オフの制御を行えることが望まれる。
【０００７】
したがって、この発明の目的は、親機と子機とからなるシステムにおいて、１つの機器の操作でシステムを構成する各機器の電源を制御できるようにした電子機器システム及びその制御方法を提供することにある。
【０００８】
【課題を解決するための手段】
請求項１に係わる発明は、複数の副電子機器と、副電子機器を制御する制御信号を伝送する主電子機器とを備えた電子機器システムにおいて、
主電子機器は、主電子機器の電源の遮断を行う操作釦の操作がなされたか否かを判別する第１の判別手段と、第１の判別手段にて主電子機器の電源の遮断を行う操作釦が押圧されたと判断された場合には、主電子機器の電源の遮断を行う操作釦が所定時間以上押圧されたか否かを判断する第２の判別手段と、第２の判別手段にて主電子機器の電源の遮断を行う操作釦が所定時間以上押圧されたと判断された場合には、全電源遮断リクエスト信号の発生を要求する全電源遮断送信リクエスト信号を副電子機器に送信する送信手段とを備え、
副電子機器は、主電子機器からの全電源遮断送信リクエスト信号を受信する受信手段と、受信された全電源遮断送信リクエスト信号に対して、全電源遮断リクエスト信号を主電子機器に送信する送信手段と  を備えてなる電子機器システムである。
【０００９】
請求項３に係わる発明は、複数の副電子機器と、副電子機器を制御する制御信号を伝送する主電子機器とを備えた電子機器システムにおいて、
主電子機器は、主電子機器の電源の遮断を行う操作釦の操作がなされたか否かを判別する第１の判別手段と、第１の判別手段にて主電子機器の電源の遮断を行う操作釦が押圧されたと判断された場合には、主電子機器の電源の遮断を行う操作釦が所定時間以上押圧されたか否かを判断する第２の判別手段と、第２の判別手段にて主電子機器の電源の遮断を行う操作釦が所定時間以上押圧されたと判断された場合には、全電源遮断リクエスト信号の発生を要求する全電源遮断送信リクエスト信号を副電子機器に送信する送信手段とを備え、
副電子機器は、主電子機器からの全電源遮断送信リクエスト信号を受信する受信手段と、受信された全電源遮断送信リクエスト信号に対して、全電源遮断リクエスト信号を主電子機器に送信する送信手段と
を備えてなる電子機器システムである。
【００１０】
親機と複数の子機とからなるシステムにおいて、親機及び子機の電源オフキーを押して直ぐに離すと、各機器の電源がオフされ、親機及び子機の電源を押し続けると、システムの全ての機器の電源をオフさせることができる。
【００１１】
【発明の実施の形態】
この発明の実施の形態について以下の順序で説明する。
【００１２】
１．オーディオ再生システムの構成
２．電源オン、オフ時の処理手順の一例
３．電源オン時の動作の一例
３−１．親機の電源オンキーを操作したときの動作
３−２．子機の電源オンキーを操作したときの動作
４．電源オフ時の動作の一例
４−１．親機の電源オフキーを操作したときの動作
４−２．子機の電源オフキーを操作したときの動作
５．電源オン、オフ時の処理手順の他の例
６．電源オン時の動作の一例
６−１．親機の電源オンキーを操作したときの動作
６−２．子機の電源オンキーを操作したときの動作
７．電源オフ時の動作の一例
７−１．親機の電源オフキーを操作したときの動作
７−２．子機の電源オフキーを操作したときの動作
８．親機及び子機の構成の一例
１．オーディオ再生システムの構成
図１は、この発明が適用されたオーディオ再生システムの一例を示すものである。図１において、１は親機、２Ａ、２Ｂ、２Ｃ、…は子機である。親機１と、各子機２Ａ、２Ｂ、２Ｃ、…は、夫々、離れた所に設置されている。
【００１３】
親機１は、例えば、コンパクトディスクを再生し、この再生されたオーディオ信号を子機２Ａ、２Ｂ、２Ｃ、…に向けて無線で送信するものである。この親機１には、コンパクトディスクを再生するための回路と、コンパクトディスクの再生信号を送信するための回路とを備えている。
【００１４】
子機２Ａ、２Ｂ、２Ｃ、…は、親機１からの信号を受信して再生するものである。子機２Ａ、２Ｂ、２Ｃ、…には、親機１からの信号を受信するための回路と、親機からの信号を復調してオーディオ信号を再生するための回路とが備えられている。
【００１５】
親機１でコンパクトディスクが再生される。この再生されたオーディオ信号は、子機２Ａ、２Ｂ、２Ｃ、…に無線で送られる。子機２Ａ、２Ｂ、２Ｃで、親機１からの電波が受信され、この受信信号が復調される。これにより、各子機２Ａ、２Ｂ、２Ｃ、…のスピーカ３Ａ、３Ｂ、３Ｃ、…からは、親機１で再生されたコンパクトディスクの再生音が出力される。
【００１６】
親機１側から子機２Ａ、２Ｂ、２Ｃ、…側にオーディオ信号を送る際に、オーディオ信号はディジタルデータとされ、例えばＣＤＭＡ（Code Division Multiple Access ）方式で送られる。ＣＤＭＡ方式は、伝送するデータにＰＮ（Pseudrandom Noise ）符号を乗算してスペクトラム拡散を行うものである。ＣＤＭＡ方式を用いると、干渉や混信の影響を殆ど受けることがなくなる。
【００１７】
親機１には、入力キー５及びディスプイレ６が設けられる。親機１の入力キー５には、図２に示すように、電源オンキー９、電源オフキー１０、音量アップ及びダウンキー１１及び１２、停止キー１３、再生及びポーズキー１４、ＡＭＳキー１５及び１６が含まれている。
【００１８】
親機１側においては、停止キー１３、再生及びポーズキー１４、ＡＭＳキー１５及び１６を操作することにより、停止、再生、一時停止、早送り、早戻し、トラックジャンプ等の動作が行われる。また、親機１の音量アップ及びダウンキー１１及び１２を操作することにより、親機１からは、子機２Ａ、２Ｂ、２Ｃ、…の音量を制御するための制御信号が発生される。これらの制御信号は、親機１から子機２Ａ、２Ｂ、２Ｃ、…に無線で送られる。これらの制御信号が子機２Ａ、２Ｂ、２Ｃ、…で受信され、この制御信号に基づいて、子機２Ａ、２Ｂ、２Ｃ、…の音量が制御できる。
【００１９】
子機２Ａ、２Ｂ、２Ｃ、…には、入力キー７Ａ、７Ｂ、７Ｃ、…及びディスプイレ８Ａ、８Ｂ、８Ｃ、…が設けられる。子機２Ａ、２Ｂ、２Ｃ、…の入力キー７Ａ、７Ｂ、７Ｃ、…には、図３に示すように、電源オンキー１９、電源オフキー２０、音量アップ及びダウンキー２１及び２２、停止キー２３、再生及びポーズキー２４、ＡＭＳキー２５及び２６が含まれている。
【００２０】
子機２Ａ、２Ｂ、２Ｃ、…側においては、音量アップ及びダウンキー２１及び２２を操作することにより、その子機２Ａ、２Ｂ、２Ｃ、…の音量が設定される。また、停止キー２３、再生及びポーズキー２４、ＡＭＳキー２５及び２６等を操作すると、停止、再生、一時停止、早送り、早戻し、トラックジャンプ等の制御信号が発生される。これらの制御信号は、子機２Ａ、２Ｂ、２Ｃ、…から親機１に無線で送られる。親機１でこの制御信号が受信され、親機１では、この制御信号に基づいて動作が設定される。
【００２１】
このようなシステムでは、子機２Ａ、２Ｂ、２Ｃ、…の置かれている所にＣＤ再生装置がなくても、親機側１で再生したコンパクトディスクの再生音を子機２Ａ、２Ｂ、２Ｃ、…側で聞くことができる。これにより、家庭内のどの部屋でも、同様の環境で音楽を楽しむことができると共に、親機に装着されたコンパクトディスクの再生音をどの部屋でも利用できるので、音楽ソフトの共用を図ることができる。そして、オーディオデータは、ＣＤＭＡ方式で送られるため、互いの干渉がなく、音質が良好である。
【００２２】
また、この発明の実施の形態では、親機１及び子機２Ａ、２Ｂ、２Ｃ、…の電源オンキー９及び１９の操作により、各機器の電源のオンが設定できると共に、システム全体の電源のオンが行える。また、親機１及び子機２Ａ、２Ｂ、２Ｃ、…の電源オフキー１０及び２０の操作により、各機器の電源のオフが設定できると共に、システム全体の電源のオフが行える。
【００２３】
すなわち、親機１においては、電源オフの状態から、電源オンキー９を押して素早く離すと、親機１のみ電源がオンとなる。電源オンキー９を所定時間以上押し続けると、親機１の電源がオンとなると共に、全ての子機２Ａ、２Ｂ、２Ｃ、…の電源がオンとなる。また、電源オンの状態から、電源オフキー１０を押して素早く離すと、親機１のみ電源がオフとなる。電源オフキー１０を所定時間以上押し続けると、親機１の電源がオフとなると共に、全ての子機２Ａ、２Ｂ、２Ｃ、…の電源がオフとなる。
【００２４】
子機２Ａ、２Ｂ、２Ｃ、…においては、電源オフの状態から、電源オンキー１９を押して素早く離すと、その子機２Ａ、２Ｂ、２Ｃ、…のみ電源がオンとなる。電源オンキー９を所定時間以上押し続けると、全ての子機２Ａ、２Ｂ、２Ｃ、…の電源がオンとなると共に、親機１の電源がオンとなる。また、電源オンの状態から、電源オフキー２０を押して素早く離すと、その子機２Ａ、２Ｂ、２Ｃ、…のみ電源がオンとなる。電源オンキー２０を所定時間以上押し続けると、全ての子機２Ａ、２Ｂ、２Ｃ、…の電源がオフとなると共に、親機１の電源がオフとなる。
【００２５】
このように、この発明の実施の形態では、親機１及び子機２Ａ、２Ｂ、２Ｃ、…の電源オンキー９及び１９の操作により、各機器の電源のオンが設定できると共に、システム全体の電源のオンが行える。また、親機１及び子機２Ａ、２Ｂ、２Ｃ、…の電源オフキー１０及び２０の操作により、各機器の電源のオフが設定できると共に、システム全体の電源のオフが行える。
【００２６】
なお、上述の例では、電源オンキーと電源オフキーとを別々に配置しているが、１つの電源キーで電源オンと電源オフを行うようにしても良いことは勿論のことである。
【００２７】
図４は、親機と子機との間でやり取りされる制御信号の構成を示すものである。制御信号の先頭には、図４に示すように、発信元のアドレス（ソースアドレス）と、宛先のアドレス（相手側アドレス）が設けられている。また、相手側アドレスを「オール」とすると、通信できる全てのアドレスに対して制御信号を送ることができる。この相手側アドレスとソースアドレスの後に、再生、停止、一時停止、電源オン、電源オフ等のコマンドを意味する制御信号が続けられる。親機から子機へは、その親機からの信号を受信している子機に対して制御信号を送ることができる。子機から親機へは全ての親機に対して制御信号を送ることができる。
【００２８】
２．電源オン、オフ時の処理手順の一例
図５は、親機１側の電源オン処理を示すフローチャートである。図５において、電源オンキー９が入力されたか否かが判断される（ステップＳ１１）。電源オンキー９が入力されていれば、電源オンキー９が一定時間以上入力されたか否かが判断される（ステップＳ１２）。ステップＳ１１で、電源オンキー９が入力されていない場合には、ステップＳ１９に進む。
【００２９】
ステップＳ１９で、子機２Ａ、２Ｂ、２Ｃ、…から電源オンリクエスト信号が受信されたか否かが判断される。電源オンリクエスト信号が受信されていれば、ステップＳ１３に進み、電源オンリクエスト信号が受信されなければ、ステップＳ１１にリターンされる。
【００３０】
ステップＳ１２で電源オンキー９が一定時間以上入力されていれば、回数ｉ及びタイマが初期化される（ステップＳ１３）。ステップＳ１２で、電源オンキー９が押された時間が所定時間に達していないと判断されたときには、ステップＳ２０に進み、その機器の電源がオンされる。
【００３１】
ステップＳ１３で回数ｉ及びタイマが初期化されたら、ステップＳ１４で、回数ｉが所定の値Ｎ（子機の数が１６の場合には例えば１６）以下か否かが判断される（ステップＳ１４）。回数ｉがＮ以下なら、タイマ値が所定の時間Ｔ以下か否かが判断される（ステップＳ１５）。
【００３２】
ステップＳ１４で、回数ｉがＮを越えた場合には、ステップＳ２０に進み、その機器の電源がオンされる。
【００３３】
ステップＳ１５で、タイマ値が所定の時間Ｔ以下なら、子機２Ａ、２Ｂ、２Ｃ、…に電源オンリクエスト信号が送信される（ステップＳ１６）。ステップＳ１５でタイマ値がＴを越えていたら、ステップＳ１８に進み、回数ｉがインクリメントされ、タイマが初期化され、ステップＳ１４にリターンされる。
【００３４】
ステップＳ１６で、子機２Ａ、２Ｂ、２Ｃ、…に電源オンリクエスト信号が送信されたら、ステップＳ１７に進み、子機２Ａ、２Ｂ、２Ｃ、…からの電源オンステータス信号が受信されたか否かが判断される。
【００３５】
子機２Ａ、２Ｂ、２Ｃ，…からの電源オンステータス信号が受信されたら、ステップＳ１８に進み、回数ｉがインクリメントされ、タイマがリセットされ、ステップＳ１４にリターンされる。ステップＳ１７で電源オンステータス信号が受信できないときには、ステップＳ１５にリターンされる。
【００３６】
図６は、子機２Ａ、２Ｂ、２Ｃ、…側の電源オン処理を示すフローチャートである。図６において、電源オンキー１９が押されているか否かが判断される（ステップＳ２１）。ステップＳ２１で電源オンキー１９が押されていれば、一定時間以上電源オンキー１９が入力されているか否かが判断される（ステップＳ２２）。
【００３７】
ステップＳ２１で電源オンキー１９が入力されていない場合には、ステップＳ２４に進み、親機１からの電源オンリクエスト信号が受信されたか否かが判断される。
【００３８】
ステップＳ２２で、一定時間以上電源キー１９が押されていれば、親機１にオールオンリクエスト信号が送信される（ステップＳ２３）。ステップＳ２２で、、一定時間以上電源オンキー１９が入力されていないと判断された場合には、ステップＳ２５に進み、その機器の電源がオンされる。
【００３９】
ステップＳ２３でオールオンリクエスト信号が送信されたら、電源オンリクエスト信号が受信されたか否かが判断される（ステップＳ２４）。ステップＳ２４で、電源オンリクエスト信号が受信されたら、その機器の電源がオンされる（ステップＳ２５）。ステップＳ２４で電源オンリクエスト信号が受信されなければ、ステップＳ２１にリターンされる。ステップＳ２５で電源がオンされたら、電源オンステータス信号が送信される（ステップＳ２６）。
【００４０】
図７は、親機１側の電源オフ処理を示すフローチャートである。図７において、電源オフキー１０が入力されたか否かが判断される（ステップＳ３１）。電源オフキー１０が入力されていれば、電源オフキー１０が一定時間以上入力されたか否かが判断される（ステップＳ３２）。ステップＳ３１で、電源オフキー１０が入力されていない場合には、ステップＳ３９に進む。
【００４１】
ステップＳ３９で、子機２Ａ、２Ｂ、２Ｃ、…から電源オフリクエスト信号が受信されたか否かが判断される。電源オンリクエスト信号が受信されれば、ステップＳ３３に進む。電源オフリクエスト信号が受信されなければ、ステップＳ３１にリターンされる。
【００４２】
ステップＳ３２で電源オフキー１０が一定時間以上入力されていれば、回数ｉ及びタイマが初期化される（ステップＳ３３）。ステップＳ３２で、電源オフキーが押された時間が所定時間に達していないと判断されたときには、ステップＳ４０に進み、その機器の電源がオフされる。
【００４３】
ステップＳ３３で回数ｉ及びタイマが初期化されたら、ステップＳ３４で、回数ｉが所定の値Ｎ（子機の数が１６の場合には例えば１６）以下か否かが判断される（ステップＳ３４）。回数ｉがＮ以下なら、タイマ値が所定の時間Ｔ以下か否かが判断される（ステップＳ３５）。
【００４４】
ステップＳ３４で、回数ｉがＮを越えた場合には、ステップＳ４０に進み、その機器の電源がオフされる。
【００４５】
ステップＳ３５で、タイマ値が所定の時間Ｔ以下なら、電源オフリクエスト信号が送信される（ステップＳ３６）。タイマ値がＴを越えていたら、ステップＳ３８に進み、回数ｉがインクリメントされ、タイマが初期化され、ステップＳ３４にリターンされる。
【００４６】
ステップＳ３６で、電源オフリクエスト信号が送信されたら、ステップＳ３７に進み、子機２Ａ、２Ｂ、２Ｃ、…からの電源オフステータス信号が受信されたか否かが判断される。
【００４７】
子機２Ａ、２Ｂ、２Ｃ，…からの電源オフステータス信号が受信されたら、ステップＳ３８に進み、回数ｉがインクリメントされ、タイマがリセットされ、ステップＳ３４にリターンされる。ステップＳ３７で電源オフステータス信号が受信できないときには、ステップＳ３５にリターンされる。
【００４８】
図８は、子機２Ａ、２Ｂ、２Ｃ、…側の電源オフ処理を示すフローチャートである。図８において、電源オフキー２０が押されているか否かが判断される（ステップＳ４１）。ステップＳ４１で電源オフキー２０が押されていれば、一定時間以上電源オフキー２０が入力されているか否かが判断される（ステップＳ４２）。
【００４９】
ステップＳ４１で電源オフキー２０が入力されていない場合には、ステップＳ４４に進み、親機１からの電源オフリクエスト信号が受信されたか否かが判断される。
【００５０】
ステップＳ４２で、一定時間以上電源キー２０が押されていれば、親機１にオールオフリクエスト信号が送信される（ステップＳ４３）。ステップＳ４２で、、一定時間以上電源オフキー２０が入力されていないと判断された場合には、ステップＳ４５、Ｓ４６に進み、その機器の電源がオフされる。
【００５１】
ステップＳ４３でオールオフリクエスト信号が送信されたら、電源オフリクエスト信号が受信されたか否かが判断される（ステップＳ４４）。ステップＳ４４で、電源オフリクエスト信号が受信されたら、電源オフステータス信号が送信され（ステップＳ４５）、その機器の電源がオフされる（ステップＳ４６）。ステップＳ４４で電源オフリクエスト信号が受信されなければ、ステップＳ４１にリターンされる。
【００５２】
３．電源オン時の動作の一例
３−１．親機の電源オンキーを操作したときの動作
先ず、親機１の電源オンキー９を操作したときの動作について説明する。親機１側において、電源オンキー９を押して直ぐに離したとする。この場合、電源オンキー９が押される時間が短いので、図５において、ステップＳ１２で電源オンキー９の入力時間が一定時間に達していないと判断され、ステップＳ２０に進み、その機器の電源がオンされる。このように、親機１において、電源オンキー９を押して直ぐに離すと、親機１の電源のみがオンされる。
【００５３】
親機１側において、電源オンキー９を押し続けたとする。この場合、ステップＳ１２で電源オンキー９が一定時間以上押されたと判断され、ステップＳ１３からＳ１８のような処理が行われ、ステップＳ１６で、子機の数に対応する所定回数だけ、各子機２Ａ、２Ｂ、２Ｃ、…に対して電源オンリクエスト信号が送信される。各子機２Ａ、２Ｂ、２Ｃ、…では、図６において、ステップＳ２４で、電源オンリクエスト信号が受信されたか否かを判断しており、この電源オンリクエスト信号が受信されると、ステップＳ２５で、その機器の電源がオンされる。
【００５４】
つまり、図９はこのときの処理を示すものである。親機１の電源オンキー９が押し続けられると、親機１から子機２Ａに電源オンリクエスト信号が送信される。子機２Ａは、電源オンリクエスト信号を受信すると、自身の電源をオンし、親機１に向けて電源オンステータス信号を返す。親機１は、子機２Ａからの電源をオンステータス信号が返されると、次の子機２Ｂに電源オンリクエスト信号を送信する。子機２Ｂは、電源オンリクエスト信号を受信すると、自身の電源をオンし、親機１に向けて電源オンステータス信号を返す。以下、同様にして、子機２Ａ、２Ｂ、２Ｃ、…が順次電源オンされていく。全ての子機２Ａ、２Ｂ、２Ｃ、…の電源がオンされると、親機１の電源がオンされる。
【００５５】
３−２．子機の電源オンキーを操作したときの動作
次に、子機２Ａ、２Ｂ、２Ｃ、…の電源オンキー１９を操作したときの動作について説明する。子機２Ａ、２Ｂ、２Ｃ、…側において、電源オンキー１９を押して直ぐに離したとする。この場合、電源オンキー１９が押される時間が短いので、図６におけるステップＳ２２で電源オンキー１９の入力時間が一定時間に達していないと判断され、ステップＳ２５に進み、その機器の電源がオンされる。
【００５６】
このように、子機２Ａ、２Ｂ、２Ｃ、…の夫々において、電源オンキー１９Ａ、１９Ｂ、１９Ｃ、…が押されたが、その電源オンキー１９Ａ、１９Ｂ、１９Ｃ、…が押される時間が一定時間より短いときには、各機器の電源のみがオンされる。
【００５７】
子機２Ａ、２Ｂ、２Ｃ、…側において、電源オンキー１９を押し続けたとする。この場合、ステップＳ２２で電源オンキー１９の入力時間が一定時間を越えていると判断される。そして、ステップＳ２３で親機１にオールオンリクエスト信号が送信される。
【００５８】
親機１側においては、図５におけるステップＳ１９で、オールオンリクエスト信号が受信されるか否かを判断している。親機１側のステップＳ１９でオールオンリクエスト信号が受信されると、ステップＳ１３に進み、ステップＳ１４からステッスＳ１８のような処理が行われ、ステップＳ１６で、各子機２Ａ、２Ｂ、２Ｃ、…に対して電源オンリクエスト信号が送信される。各子機２Ａ、２Ｂ、２Ｃ、…では、図６におけるステップＳ２４で、電源オンリクエスト信号が受信されたか否かを判断しており、この電源オンリクエスト信号が受信されると、ステップＳ２５で、その機器の電源がオンされる。
【００５９】
つまり、図１０はこのときの処理を示すものである。図１０に示すように、例えば、子機２Ａで電源オンキー１９が押し続けられると、子機２Ａから親機１にオールオンリクエスト信号が送信される。親機１は、オールオンリクエスト信号を受信すると、子機２Ａに電源オンリクエスト信号を送信する。子機２Ａは、電源オンリクエスト信号を受信すると、自身の電源をオンし、親機１に向けて電源オンステータス信号を返す。親機１は、子機２Ａからの電源をオンステータス信号が返されると、次の子機２Ｂに電源オンリクエスト信号を送信する。子機２Ｂは、電源オンリクエスト信号を受信すると、自身の電源をオンし、親機１に向けて電源オンステータス信号を返す。以下、同様にして、子機２Ａ、２Ｂ、２Ｃ、…が順次電源オンされていく。全ての子機２Ａ、２Ｂ、２Ｃ、…の電源がオンされると、親機１の電源がオンされる。
【００６０】
４．電源オフ時の動作の一例
４−１．親機の電源オフキーを操作したときの動作
次に、親機１の電源オフキー１０を操作したときの動作について説明する。親機１側において、電源オフキー１０を押して直ぐに離したとする。この場合、電源オフキー１０が押される時間が短いので、図７におけるステップＳ３２で電源オフキー１０の入力時間が一定時間に達していないと判断され、ステップＳ４０に進み、その機器の電源がオフされる。このように、親機１において、電源オフキー１０を押して直ぐに離すと、親機１の電源のみがオフされる。
【００６１】
親機１側において、電源オフキー１０を押し続けたとする。この場合、ステップＳ３２で電源オフキー１０が一定時間以上押されたと判断され、ステップＳ３３からＳ３８のような処理が行われ、ステップＳ３６で、子機の数に対応する所定回数だけ、各子機２Ａ、２Ｂ、２Ｃ、…に対して電源オフリクエスト信号が送信される。各子機２Ａ、２Ｂ、２Ｃ、…では、図８におけるステップＳ４４で、電源オフリクエスト信号が受信されたか否かを判断しており、この電源オフリクエスト信号が受信されると、ステップＳ４５で、その機器の電源がオフされる。
【００６２】
つまり、図１１はこのときの処理を示すものである。親機１の電源オフキー１０が押し続けられると、親機１から子機２Ａに電源オフリクエスト信号が送信される。子機２Ａは、電源オフリクエスト信号を受信すると、親機１に向けて電源オフステータスを返し、自身の電源をオフする。親機１は、子機２Ａからの電源をオフステータス信号が返されると、次の子機２Ｂに電源オフリクエスト信号を送信する。子機２Ｂは、電源オフリクエスト信号を受信すると、親機１に向けて電源オフステータス信号を返し、自身の電源をオフする。以下、同様にして、子機２Ａ、２Ｂ、２Ｃ、…が順次電源オフされていく。全ての子機２Ａ、２Ｂ、２Ｃ、…の電源がオフされると、親機１の電源がオフされる。
【００６３】
４−２．子機の電源オフキーを操作したときの動作
次に、子機２Ａ、２Ｂ、２Ｃ、…の電源オフキー２０を操作したときの動作について説明する。子機２Ａ、２Ｂ、２Ｃ、…側において、電源オフキー２０を押して直ぐに離したとする。この場合、電源オフキー２０が押される時間が短いので、図８におけるステップＳ４２で電源オフキー２０の入力時間が一定時間に達していないと判断され、ステップＳ４５に進み、電源オフステータス信号を送信し、ステップＳ４６で、その機器の電源がオフされる。
【００６４】
このように、子機２Ａ、２Ｂ、２Ｃ、…の夫々において、電源オフキー２０Ａ、２０Ｂ、２０Ｃ、…が押されたが、その電源オフキー２０Ａ、１９Ｂ、１９Ｃ、…が押される時間が一定時間より短いときには、各機器の電源のみがオフされる。
【００６５】
子機２Ａ、２Ｂ、２Ｃ、…側において、電源オフキー２０を押し続けたとする。この場合、ステップＳ４２で電源オフキー２０の入力時間が一定時間を越えていると判断される。そして、ステップＳ４３で親機１にオールオフリクエスト信号が送信される。
【００６６】
親機１側においては、図７におけるステップＳ３９で、オールオフリクエスト信号が受信されたか否かを判断している。図７における親機１側のステップＳ３９でオールオフリクエスト信号が受信されると、ステップＳ３３に進み、ステップＳ３４からステップＳ３８のような処理が行われ、ステップＳ３６で各子機２Ａ、２Ｂ、２Ｃ、…に対して電源オフリクエスト信号が送信される。各子機２Ａ、２Ｂ、２Ｃ、…では、図８におけるステップＳ４４で、電源オフリクエスト信号が受信されたか否かを判断しており、この電源オフリクエスト信号が受信されると、ステップＳ４５で、その機器の電源がオフされる。
【００６７】
つまり、図１２はこのときの処理を示すものである。図１２に示すように、例えば、子機２Ａで電源オフキー２０が押し続けられると、子機２Ａから親機１にオールオフリクエスト信号が送信される。親機１は、オールオフリクエスト信号を受信すると、子機２Ａに電源オフリクエスト信号を送信する。子機２Ａは、電源オフリクエスト信号を受信すると、親機１に向けて電源オフステータスを返し、自分自身の電源をオフする。親機１は、子機２Ａからの電源をオフステータス信号が返されると、次の子機２Ｂに電源オフリクエスト信号を送信する。子機２Ｂは、電源オフリクエスト信号を受信すると、親機１に向けて電源オフステータス信号を返し、自身の電源をオフする。以下、同様にして、子機２Ａ、２Ｂ、２Ｃ、…が順次電源オフされていく。全ての子機２Ａ、２Ｂ、２Ｃ、…の電源がオフされると、親機１の電源がオフされる。
【００６８】
５．電源オン、オフ時の処理手順の他の例
ところで、上述の例では、図１に示すように、１台の親機１に対して複数台の子機２Ａ、２Ｂ、２Ｃ、…を設ける構成とされているが、親機を複数台設けることが可能である。４台の親機からなるシステムでは、例えば、各親機として２００毎のディスクを収納できるディスクチェンジャ付のＣＤ再生装置を使用した場合、子機側では、（２００×４＝８００）枚のディスクの中から、所望ものを選択して再生できるようになる。
【００６９】
ところが、制御信号は、親機から子機に対しては、その親機の信号を受信している子機に対してのみ送ることができ、親機からそれ以外の子機への通信は行えない。
【００７０】
そこで、以下の例では、電源を制御する際に、子機から全ての親機にオールオンリクエスト信号又はオールオフリクエスト信号を送信させて、システム内の全ての機器の電源の制御を一斉に行えるようにしている。
【００７１】
図１３は、このように、複数の親機と、複数の子機とからなる構成で、親機側の電源オン処理を示すフローチャートである。図１３において、親機の電源オンキー９が入力されたか否かが判断される（ステップＳ５１）。電源オンキー９が入力されていれば、電源オンキー９が一定時間以上入力されたか否かが判断される（ステップＳ５２）。
【００７２】
電源オンキー９が一定時間以上入力されていれば、回数ｉ及びタイマが初期化される（ステップＳ５３）。電源オンキー９が一定時間以上入力されていなければ、ステップＳ７０に進み、電源がオンされる。
【００７３】
ステップＳ５３で、回数ｉ及びタイマが初期化されたら、回数ｉが所定の値Ｎ以下か否かが判断される（ステップＳ５４）。ステップＳ５４で、回数ｉがＮ以下なら、子機は電源オンであるか否かが判断される（ステップＳ５５）。ステップＳ５４で、回数ｉがＮ以下でなければ、ステップＳ７０に進み、その機器の電源がオンされる。
【００７４】
ステップＳ５５で、子機の電源がオフの場合には、タイマ値が所定の時間Ｔ以下か否かが判断される（ステップＳ５６）。ステップＳ５６で子機の電源がオフでなければ、ステップＳ６１に進む。
【００７５】
ステップＳ５６で、タイマ値が所定の時間Ｔ以下なら、オールオンリクエスト信号の送出を要求するためのオールオン送信リクエスト信号を送信したか否かが判断される（ステップＳ５７）。ステップＳ５７で、オールオン送信リクエスト信号が送信されていなければ、オールオン送信リクエストが送信される（ステップＳ５８）。オールオン送信リクエスト信号を既に送っていれば、子機の電源をオンするための電源オンリクエスト信号が送信される（ステップＳ５９）。
【００７６】
ステップＳ５８でオールオン送信リクエスト信号が送信されたら、又は、ステップＳ５９で電源オンリクエスト信号が送信されたら、子機からの電源オンステータス信号が受信されたか否かが判断される（ステップＳ６０）。電源オンステータス信号が受信されなければ、ステップＳ５６にリターンされる。電源オンステータス信号が受信されたら、回数ｉがインクリメントされ、タイマが０にリセットされる（ステップＳ６１）。そして、ステップＳ５４にリターンされる。
【００７７】
ステップＳ５１で、電源オンキーが入力されていないと判断された場合には、子機からのオールオンフリクエスト信号が受信されたか否かが判断される（ステップＳ６２）。オールオンリクエスト信号が受信されていなければ、ステップＳ５１にリターンされる。
【００７８】
ステップＳ６２で、子機からオールオンリクエスト信号か受信されたら、回数ｉがリセットされ、タイマがリセットされる（ステップＳ６３）。そして、回数ｉがＮ（例えば１６）以下か否かが判断され（ステップＳ６４）。
【００７９】
ステップＳ６４で、回数ｉがＮ以下なら、子機の電源はオフか否かが判断される（ステップＳ６５）。回数ｉがＮを越えていたら、ステップＳ７０に進み、電源がオンされる。
【００８０】
ステップＳ６５で、子機の電源はオフか否かが判断される。電源オフの状態なら、タイマ値が所定の値以下か否かが判断される（ステップＳ６６）。電源オフの状態でなければ、ステップＳ６９に進み、回数ｉがインクリメントされ、タイマ値がリセットされる。
【００８１】
ステップＳ６６で、タイマが所定時間Ｔ以下なら、子機に電源オンリクエスト信号が送信される（ステップＳ６７）。タイマ値が所定の時間Ｔ以下でなければ、ステップＳ６９に進み、回数ｉがインクリメントされ、タイマ値がリセットされる。
【００８２】
ステップＳ６７で、子機に電源オンリクエスト信号が送信されたら、子機からの電源オンステータス信号が受信されたか否かが判断される（ステップＳ６８）。電源オンステータス信号が受信されたら、ステップＳ６９に進み、回数ｉがインクリメントされ、タイマがリセットされる。電源オンステータス信号が受信されなければ、ステップＳ６６にリターンされる。
【００８３】
図１４は、このように、複数の親機と、複数の子機とからなる構成で、子機側の電源オン処理を示すフローチャートである。図１４において、電源オンキー１９が押されているか否かが判断される（ステップＳ８１）。電源オンキー１９が押されていれば、一定時間以上電源オンキーが入力されているか否かが判断される（ステップＳ８２）。
【００８４】
ステップＳ８１で電源オンキー１９が入力されていない場合には、親機からオールオン送信リクエスト信号が受信されたか否かが判断される（ステップＳ８３）。
【００８５】
ステップＳ８２で、一定時間以上電源オンキー１９が押されていると判断された場合には、親機にオールオンリクエスト信号が送信される（ステップＳ８４）。ステップＳ８２で一定時間以上電源オンキー１９が入力されていないと判断された場合には、ステップＳ８５に進み、電源がオンされ、ステップＳ８６で電源オンステータス信号が送信される。
【００８６】
ステップＳ８４でオールオンリクエスト信号が送信されたら、親機から電源オンリクエスト信号が受信されたか否かが判断される（ステップＳ８７）。電源オンリクエスト信号が受信されたと判断されたら、ステップＳ８５に行き、その機器の電源がオンされた後、ステップＳ８６で、電源オンステータス信号が送信される。電源オンステータス信号が受信されないときには、ステップＳ８１にリターンされる。
【００８７】
また、ステップＳ８１で電源オンキーが入力されていない場合には、ステップＳ８３に進み、親機からオールオン送信リクエスト信号が受信されたか否かが判断されている。ここで、オールオンリクエスト信号が受信されたら、ステップＳ８４に進み、親機にオールオンリクエスト信号が送信される。オールオン送信リクエスト信号が受信されなければ、ステップＳ８７に進み、親機からの電源オンリクエスト信号が受信されたか否かが判断される。
【００８８】
図１５は、このように、複数の親機と、複数の子機とからなる構成で、親機側の電源オフ処理を示すフローチャートである。図１５において、親機の電源オフキー１０が入力されたか否かが判断される（ステップＳ９１）。電源オフキー１０が入力されていれば、電源オフキー１０が一定時間以上入力されたか否かが判断される（ステップＳ９２）。
【００８９】
電源オフキー１０が一定時間以上入力されていれば、回数ｉ及びタイマが初期化される（ステップＳ９３）。電源オフキー１０が一定時間以上入力されていなければ、ステップＳ１１０に進み、電源がオフされる。
【００９０】
ステップＳ９３で、回数ｉ及びタイマが初期化されたら、回数ｉが所定の値Ｎ以下か否かが判断される（ステップＳ９４）。ステップＳ９４で、回数ｉがＮ以下なら、子機は電源オンであるか否かが判断される（ステップＳ９５）。ステップＳ９４で、回数ｉがＮ以下でなければ、ステップＳ１１０に進み、電源がオフされる。
【００９１】
ステップＳ９５で、子機の電源がオンの場合には、タイマ値が所定の時間Ｔ以下か否かが判断される（ステップＳ９６）。ステップＳ９６で子機の電源がオンでない場合には、ステップＳ１１０に進み、電源がオフされる。
【００９２】
ステップＳ９６で、タイマ値が所定の時間Ｔ以下なら、オールオフリクエスト信号の送出を要求するためのオールオフ送信リクエスト信号を送信したか否かが判断される（ステップＳ９７）。ステップＳ９７で、オールオフ送信リクエスト信号が送信されていなければ、オールオフ送信リクエストが送信される（ステップＳ９８）。オールオフ送信リクエスト信号を既に送っていれば、子機の電源をオフするための電源オフリクエスト信号が送信される（ステップＳ９９）。
【００９３】
ステップＳ９８でオールオフ送信リクエスト信号が送信されたら、又は、ステップＳ９９で電源オフリクエスト信号が送信されたら、子機からの電源オフステータス信号が受信されたか否かが判断される（ステップＳ１００）。電源オフステータス信号が受信されなければ、ステップＳ９６にリターンされる。電源オフステータス信号が受信されたら、回数ｉがインクリメントされ、タイマが０にリセットされる（ステップＳ１０１）。そして、ステップＳ９４にリターンされる。
【００９４】
ステップＳ９１で、電源オフキーが入力されていないと判断された場合には、子機からオールオフリクエスト信号が受信されたか否かが判断される（ステップＳ１０２）。オールオフリクエスト信号が受信されていなければ、ステップＳ９１にリターンされる。
【００９５】
ステップＳ１０２で、子機からオールオフリクエスト信号か受信されたら、回数ｉがリセットされ、タイマがリセットされる（ステップＳ１０３）。そして、回数ｉがＮ（例えば１６）以下か否かが判断され（ステップＳ１０４）。
【００９６】
ステップＳ１０４で、回数ｉがＮ以下なら、子機の電源はオンか否かが判断される（ステップＳ１０５）。回数ｉがＮを越えていたら、ステップＳ１１０に進み、電源がオフされる。
【００９７】
ステップＳ１０５で、子機の電源はオンか否かが判断される。電源オンの状態なら、タイマ値が所定の値以下か否かが判断される（ステップＳ１０６）。電源オンの状態でなければ、ステップＳ１０９に進み、回数ｉがインクリメントされ、タイマ値がリセットされる。
【００９８】
ステップＳ１０６で、タイマが所定時間Ｔ以下なら、子機にオールオフリクエスト信号が送信される（ステップＳ１０７）。タイマ値が所定の時間Ｔ以下でなければ、ステップＳ１０９に進み、回数ｉがインクリメントされ、タイマ値がリセットされる。
【００９９】
ステップＳ１０７で、子機に電源オフリクエスト信号が送信されたら、子機からの電源オフステータス信号が受信されたか否かが判断される（ステップＳ１０８）。電源オフステータス信号が受信されたら、ステップＳ１０９に進み、回数ｉがインクリメントされ、タイマがリセットされる。電源オフステータス信号が受信されなければ、ステップＳ１０６にリターンされる。
【０１００】
図１６は、このように、複数の親機と、複数の子機とからなる構成で、子機側の電源オフ処理を示すフローチートである。図１６において、電源オフキー２０が押されているか否かが判断される（ステップＳ１１１）。電源オフキー２０が押されていれば、一定時間以上電源オフキーが入力されているか否かが判断される（ステップＳ１１２）。
【０１０１】
ステップＳ１１１で電源オフキー２０が入力されていない場合には、親機からオールオフ送信リクエスト信号が受信されたか否かが判断される（ステップＳ１１３）。
【０１０２】
ステップＳ１１２で、一定時間以上電源オフキー２０が押されていると判断された場合には、親機にオールオフリクエスト信号が送信される（ステップＳ１１４）。ステップＳ１１２で一定時間以上電源オフキー２０が入力されていないと判断された場合には、ステップＳ１１５に進み、電源オフステータス信号が送信された後、ステップＳ１１６でその機器の電源がオフされる。
【０１０３】
ステップＳ１１４でオールオフリクエスト信号が送信されたら、親機から電源オフリクエスト信号が受信されたか否かが判断される（ステップＳ１１７）。電源オフリクエスト信号が受信されたと判断されたら、電源オフステータス信号が送信されて（ステップＳ１１５）、その機器の電源がオフされる（ステップＳ３６）。電源オフステータス信号が受信されないときには、ステップＳ１１１にリターンされる。
【０１０４】
また、ステップＳ１１１で電源オフキーが入力されていない場合には、ステップＳ１１３に進み、親機からオールオフ送信リクエスト信号が受信されたか否かが判断されている。ここで、オールオフリクエスト信号が受信されたら、ステップＳ１１４に進み、親機にオールオフリクエスト信号が送信される。オールオフ送信リクエスト信号が受信されなければ、ステップＳ１１７に進み、親機からの電源オフリクエスト信号が受信されたか否かが判断される。
【０１０５】
６．電源オン時の動作の一例
６−１．親機の電源オンキーを操作したときの動作
先ず、親機の電源オンキー９を操作したときの処理について説明する。親機側１Ａ、１Ｂ、１Ｃ、…において、電源オンキー９を押して直ぐに離したとする。この場合、電源オンキー９が押される時間が短いので、図１３において、ステップＳ５２で電源オンキー９の入力時間が一定時間に達していないと判断され、ステップＳ７０に進み、その機器の電源がオンされる。このように、親機１Ａ、１Ｂ、１Ｃ、…において、電源オンキー９を押して直ぐに離すと、親機１Ａ、１Ｂ、１Ｃ、…の電源のみがオンされる。
【０１０６】
親機１Ａ、１Ｂ、１Ｃ、…側において、電源オンキー９を押し続けたとする。この場合、ステップＳ５２で電源オンキー９が一定時間以上押されたと判断され、ステップＳ５４からＳ６０のような処理が行われ、ステップＳ５９で各子機２Ａ、２Ｂ、２Ｃ、…に対して電源オンリクエスト信号が送信される。各子機２Ａ、２Ｂ、２Ｃ、…では、図１４におけるステップＳ８７で、電源オンリクエスト信号が受信されたか否かを判断しており、この電源オンリクエスト信号が受信されると、ステップＳ８５で、その機器の電源がオンされる。
【０１０７】
また、親機１Ａ、１Ｂ、１Ｃ、…側において、ステップＳ５８でオールオン送信リクエスト信号が送信される。各子機２Ａ〜２Ｄ、２Ｅ〜２Ｈ、２Ｉ〜２Ｌ、２Ｍ〜２Ｐでは、ステップＳ８３でオールオン送信リクエスト信号が受信されるか否かを判断しており、オールオン送信リクエスト信号が受信されると、ステップＳ８４で、オールオンリクエスト信号が親機１Ａ、１Ｂ、１Ｃ、…に送信される。親機１Ａ、１Ｂ、１Ｃ、…側ではステップＳ６２でオールオンリクエスト信号が受信されたと判断されると、ステップＳ６３からＳ６８のような処理が行われ、その親機からの信号を受信している各子機に対して電源オンリクエスト信号が送信される。各子機２Ａ、２Ｂ、２Ｃ、…では、ステップＳ８７で、電源オンリクエスト信号が受信されたか否かを判断しており、この電源オンリクエスト信号が受信されると、ステップＳ８５で、その機器の電源がオンされる。これにより、システム全体の全ての機器の電源がオンされる。
【０１０８】
つまり、図１７に示すように、親機１Ａの電源オンキー９が押し続けられたとする。親機１Ａの電源オンキー９が押し続けられると、親機１Ａからオールオン送信リクエスト信号が送られる。子機２Ａは、オールオン送信リクエスト信号を受信すると、子機２Ａから親機１Ａ〜１Ｄにオールオンリクエスト信号を送信する。
【０１０９】
親機１Ａ、１Ｂ、１Ｃ、１Ｄは、オールオンリクエスト信号を受信すると、各親機１Ａ、１Ｂ、１Ｃ、１Ｄを受信している各子機に順に電源オンリクエスト信号を送信する。
【０１１０】
すなわち、親機１Ａは、オールオンリクエスト信号を受信すると、親機１Ａからの信号を受信している子機２Ａ、２Ｂ、２Ｃ、…に順に電源オンリクエスト信号を送り、子機２Ａ、２Ｂ、２Ｃ、…は、この電源オンリクエスト信号を受信すると、電源オンステータス信号を親機１Ａに返して、各子機２Ａ、２Ｂ、２Ｃ、…の電源をオンする。親機１Ｂは、オールオンリクエスト信号を受信すると、親機１Ｂからの信号を受信している子機２Ｅ、２Ｆ、２Ｇ、…に順に電源オンリクエスト信号を送り、子機２Ｅ、２Ｆ、２Ｇ、…は、この電源オンリクエスト信号を受信すると、電源オンステータス信号を親機１Ｂに返して、各子機２Ｅ、２Ｆ、２Ｇ、…の電源をオンする。
【０１１１】
親機１Ｃ及び親機１Ｄにおいても、同様に、オールオンリクエスト信号を受信すると、親機１Ｃの信号を受信している子機２Ｉ、２Ｊ、２Ｋ、…及び親機１Ｄの信号を受信している子機２Ｍ、２Ｎ、２Ｏ、…の電源を順にオンし、子機２Ｉ、２Ｊ、２Ｋ、…及び子機２Ｍ、２Ｎ、２Ｏ、…は、電源オンすると、電源オンステータス信号を親機１Ｃ及び１Ｄに返す。
【０１１２】
このように、親機１Ａ、１Ｂ、１Ｃ、…の電源オンキー９を押し続けると、親機１Ａ、１Ｂ、１Ｃ、…からオールオンリクエスト信号の送信を促すオールオン送信リクエスト信号が送信される。子機２Ａ、２Ｂ、２Ｃ、…からは、このオールオン送信リクエスト信号が受信されると、オールオンリクエスト信号が送信される。このオールオンリクエスト信号は、全ての親機１Ａ、１Ｂ、１Ｃ、…で受信され、このオールオンリクエスト信号により、その親機１Ａ、１Ｂ、１Ｃ、…を受信している各子機２Ａ〜２Ｄ、２Ｅ〜２Ｈ、２Ｉ〜２Ｌ、２Ｍ〜２Ｐの電源がオンされる。これにより、システムを構成する全ての機器の電源がオンされることになる。
【０１１３】
６−２．子機の電源オンキーを操作したときの動作
次に、子機２Ａ、２Ｂ、２Ｃ、…の電源オンキー１９を操作したときの動作について説明する。子機２Ａ、２Ｂ、２Ｃ、…側において、電源オンキー１９を押して直ぐに離したとする。この場合、電源オンキー１９が押される時間が短いので、図１４においてステップＳ８２で電源オンキー１９の入力時間が一定時間に達していないと判断され、ステップＳ８５に進み、その機器の電源がオンされる。
【０１１４】
このように、子機２Ａ、２Ｂ、２Ｃ、…の夫々において、電源オンキー１９Ａ、１９Ｂ、１９Ｃ、…が押されたが、その電源オンキー１９Ａ、１９Ｂ、１９Ｃ、…が押される時間が一定時間より短いときには、各機器の電源のみがオンされる。
【０１１５】
子機２Ａ、２Ｂ、２Ｃ、…側において、電源オンキー１９を押し続けたとする。この場合、ステップＳ８２で電源オンキー１９の入力時間が一定時間を越えていると判断される。そして、ステップＳ８４で親機１にオールオンリクエスト信号が送信される。
【０１１６】
親機１Ａ、１Ｂ、１Ｃ、…側では、図１３におけるステップＳ６２でオールオンリクエスト信号が受信されたと判断されると、ステップＳ６３からＳ６９のような処理が行われ、ステップＳ６８で、その親機からの信号を受信している各子機２Ａ〜２Ｄ、２Ｅ〜２Ｈ、２Ｉ〜２Ｌ、２Ｍ〜２Ｐに対して電源オンリクエスト信号が送信される。各子機２Ａ、２Ｂ、２Ｃ、…では、図１４におけるステップＳ８７で、電源オンリクエスト信号が受信されたか否かを判断しており、この電源オンリクエスト信号が受信されると、ステップＳ８５で、その機器の電源がオンされる。これにより、システム全体の全ての機器の電源がオンされる。
【０１１７】
つまり、図１８に示すように、例えば子機２Ａの電源オンキー１９が押し続けられたとする。子機２Ａの電源オンキー１９が押し続けられると、子機２Ａから親機１Ａ〜１Ｄにオールオンリクエスト信号が送信される。
【０１１８】
親機１Ａ、１Ｂ、１Ｃ、１Ｄは、オールオンリクエスト信号を受信すると、各親機１Ｂ、１Ｃ、１Ｄを受信している各子機に順に電源オンリクエスト信号を送信する。
【０１１９】
すなわち、親機１Ａは、オールオンリクエスト信号を受信すると、親機１Ａからの信号を受信している子機２Ａ、２Ｂ、２Ｃ、…に順に電源オンリクエスト信号を送り、子機２Ａ、２Ｂ、２Ｃ、…は、この電源オンリクエスト信号を受信すると、電源オンステータス信号を親機１Ａに返して、各子機２Ａ、２Ｂ、２Ｃ、…の電源をオンする。親機１Ｂは、オールオンリクエスト信号を受信すると、親機１Ｂからの信号を受信している子機２Ｅ、２Ｆ、２Ｇ、…に順に電源オンリクエスト信号を送り、子機２Ｅ、２Ｆ、２Ｇ、…は、この電源オンリクエスト信号を受信すると、電源オンステータス信号を親機１Ｂに返して、各子機２Ｅ、２Ｆ、２Ｇ、…の電源をオンする。
【０１２０】
親機１Ｃ及び親機１Ｄにおいても、同様に、オールオンリクエスト信号を受信すると、親機１Ｃの信号を受信している子機２Ｉ、２Ｊ、２Ｋ、…及び親機１Ｄの信号を受信している子機２Ｍ、２Ｎ、２Ｏ、…の電源を順にオンし、子機２Ｉ、２Ｊ、２Ｋ、…及び子機２Ｍ、２Ｎ、２Ｏ、…は、電源オンすると、電源オンステータス信号を親機１Ｃ及び１Ｄに返す。
【０１２１】
このように、子機２Ａ、２Ｂ、２Ｃ、…の電源オンキー１９を押し続けると、子機２Ａ、２Ｂ、２Ｃ、…からはオールオンリクエスト信号が送信される。このオールオンリクエスト信号は、全ての親機１Ａ、１Ｂ、１Ｃ、…で受信され、このオールオンリクエスト信号により、その親機１Ａ、１Ｂ、１Ｃ、…を受信している各子機２Ａ〜２Ｄ、２Ｅ〜２Ｈ、２Ｉ〜２Ｌ、２Ｍ〜２Ｐの電源がオンされる。これにより、システムを構成する全ての機器の電源がオンされることになる。
【０１２２】
７．電源オフ時の動作の一例
７−１．親機の電源オフキーを操作したときの動作
次に、親機１Ａ、１Ｂ、１Ｃ…の電源オフキー１０を操作したときの動作について説明する。親機１Ａ、１Ｂ、１Ｃ、…側において、電源オフキー１０を押して直ぐに離したとする。この場合、電源オフキー１０が押される時間が短いので、図１５におけるステップＳ９２で電源オフキー１０の入力時間が一定時間に達していないと判断され、ステップＳ１１０に進み、その機器の電源がオフされる。このように、親機１Ａ、１Ｂ、１Ｃ、…において、電源オフキー１０を押して直ぐに離すと、親機１Ａ、１Ｂ、１Ｃ、…の電源のみがオフされる。
【０１２３】
親機１Ａ、１Ｂ、１Ｃ、…側において、電源オフキー１０を押し続けたとする。この場合、ステップＳ９２で電源オフキー１０が一定時間以上押されたと判断され、ステップＳ９３からＳ１００のような処理が行われ、ステップＳ９９で、各子機２Ａ、２Ｂ、２Ｃ、…に対して電源オフリクエスト信号が送信される。各子機２Ａ、２Ｂ、２Ｃ、…では、図１６におけるステップＳ１１７で、電源オフリクエスト信号が受信されたか否かを判断しており、この電源オフリクエスト信号が受信されると、ステップＳ１１６で、その機器の電源がオフされる。
【０１２４】
また、親機１Ａ、１Ｂ、１Ｃ、…側において、ステップＳ９８でオールオフ送信リクエスト信号が送信される。各子機２Ａ〜２Ｄ、２Ｅ〜２Ｈ、２Ｉ〜２Ｌ、２Ｍ〜２Ｐでは、図１６におけるステップＳ１１３でオールオフ送信リクエスト信号が受信されたか否かを判断しており、オールオフ送信リクエスト信号が受信されると、ステップＳ１１４で、オールオフリクエスト信号が送信される。親機１Ａ、１Ｂ、１Ｃ、…側ではステップＳ１０２でオールオフリクエスト信号が受信されたと判断されると、ステップＳ１０３からＳ１０８のような処理が行われ、ステップＳ１０７で、その親機からの信号を受信している各子機に対して電源オフリクエスト信号が送信される。各子機２Ａ、２Ｂ、２Ｃ、…では、ステップＳ１１７で、電源オフリクエスト信号が受信されたか否かを判断しており、この電源オフリクエスト信号が受信されると、ステップＳ１１６で、その機器の電源がオフされる。これにより、システム全体の全ての機器の電源がオフされる。
【０１２５】
つまり、図１９に示すように、親機１Ａの電源オフキー１０が押し続けられたとする。親機１Ａの電源オフキー１０が押し続けられると、親機１Ａからオールオフ送信リクエスト信号が送られる。子機２Ａは、オールオフ送信リクエスト信号を受信すると、子機２Ａから親機１Ａ〜１Ｄにオールオフリクエスト信号を送信する。
【０１２６】
親機１Ａ、１Ｂ、１Ｃ、１Ｄは、オールオフリクエスト信号を受信すると、各親機１Ａ、１Ｂ、１Ｃ、１Ｄを受信している各子機に順に電源オフリクエスト信号を送信する。
【０１２７】
すなわち、親機１Ａは、オールオフリクエスト信号を受信すると、親機１Ａからの信号を受信している子機２Ａ、２Ｂ、２Ｃ、…に順に電源オフリクエスト信号を送り、子機２Ａ、２Ｂ、２Ｃ、…は、この電源オフリクエスト信号を受信すると、電源オフステータス信号を親機１Ａに返して、各子機２Ａ、２Ｂ、２Ｃ、…の電源をオフする。親機１Ｂは、オールオフリクエスト信号を受信すると、親機１Ｂからの信号を受信している子機２Ｅ、２Ｆ、２Ｇ、…に順に電源オフリクエスト信号を送り、子機２Ｅ、２Ｆ、２Ｇ、…は、この電源オフリクエスト信号を受信すると、電源オフステータス信号を親機１Ｂに返して、各子機２Ｅ、２Ｆ、２Ｇ、…の電源をオフする。
【０１２８】
親機１Ｃ及び親機１Ｄにおいても、同様に、オールオフリクエスト信号を受信すると、親機１Ｃの信号を受信している子機２Ｉ、２Ｊ、２Ｋ、…及び親機１Ｄの信号を受信している子機２Ｍ、２Ｎ、２Ｏ、…の電源を順にオフし、子機２Ｉ、２Ｊ、２Ｋ、…及び子機２Ｍ、２Ｎ、２Ｏ、…は、電源オフすると、電源オフステータス信号を親機１Ｃ及び１Ｄに返す。
【０１２９】
このように、親機１Ａ、１Ｂ、１Ｃ、…の電源オフキー１０を押し続けると、親機１Ａ、１Ｂ、１Ｃ、…からオールオフリクエスト信号の送信を促すオールオフ送信リクエスト信号が送信される。子機２Ａ、２Ｂ、２Ｃ、…からは、このオールオフ送信リクエスト信号が受信されると、オールオフリクエスト信号が送信される。このオールオフリクエスト信号は、全ての親機１Ａ、１Ｂ、１Ｃ、…で受信され、このオールオフリクエスト信号により、その親機１Ａ、１Ｂ、１Ｃ、…を受信している各子機２Ａ〜２Ｄ、２Ｅ〜２Ｈ、２Ｉ〜２Ｌ、２Ｍ〜２Ｐの電源がオフされる。これにより、システムを構成する全ての機器の電源がオフされることになる。
【０１３０】
７−２．子機の電源オフキーを操作したときの動作
次に、子機２Ａ、２Ｂ、２Ｃ、…の電源オフキー２０を操作したときの動作にいて説明する。子機２Ａ、２Ｂ、２Ｃ、…側において、電源オフキー２０を押して直ぐに離したとする。この場合、電源オフキー２０が押される時間が短いので、図１６におけるステップＳ１１２で電源オフキー２０の入力時間が一定時間に達していないと判断され、ステップＳ１１６に進み、その機器の電源がオフされる。
【０１３１】
このように、子機２Ａ、２Ｂ、２Ｃ、…の夫々において、電源オフキー２０Ａ、２０Ｂ、２０Ｃ、…が押されたが、その電源オフキー２０Ａ、２０Ｂ、２０Ｃ、…が押される時間が一定時間より短いときには、各機器の電源のみがオフされる。
【０１３２】
子機２Ａ、２Ｂ、２Ｃ、…側において、電源オフキー２０を押し続けたとする。この場合、ステップＳ１１２で電源オフキー２０の入力時間が一定時間を越えていると判断される。そして、ステップＳ１１４で親機１Ａ、１Ｂ、１Ｃ、…にオールオフリクエスト信号が送信される。
【０１３３】
親機１Ａ、１Ｂ、１Ｃ、…側では、図１５におけるステップＳ１０２でオールオフリクエスト信号が受信されたか否かを判断しており、オールオフリクエスト信号が受信されると、ステップＳ１０３からＳ１０８のような処理が行われ、その親機からの信号を受信している各子機に対して電源オフリクエスト信号が送信される。各子機２Ａ、２Ｂ、２Ｃ、…では、ステップＳ１１７で、電源オフリクエスト信号が受信されたか否かを判断しており、この電源オフリクエスト信号が受信されると、ステップＳ１１６で、その機器の電源がオフされる。これにより、システム全体の全ての機器の電源がオフされる。
【０１３４】
つまり、図２０に示すように、例えば、子機１Ａの電源オフキー１０が押し続けられたとする。子機１Ａの電源オフキー１０が押し続けられると、子機１Ａからオールオフリクエスト信号が送られる。
【０１３５】
親機１Ａ、１Ｂ、１Ｃ、１Ｄは、オールオフリクエスト信号を受信すると、各親機１Ｂ、１Ｃ、１Ｄを受信している各子機に順に電源オフリクエスト信号を送信する。
【０１３６】
すなわち、親機１Ａは、オールオフリクエスト信号を受信すると、親機１Ａからの信号を受信している子機２Ａ、２Ｂ、２Ｃ、…に順に電源オフリクエスト信号を送り、子機２Ａ、２Ｂ、２Ｃ、…は、この電源オフリクエスト信号を受信すると、電源オフステータス信号を親機１Ａに返して、各子機２Ａ、２Ｂ、２Ｃ、…の電源をオフする。親機１Ｂは、オールオフリクエスト信号を受信すると、親機１Ｂからの信号を受信している子機２Ｅ、２Ｆ、２Ｇ、…に順に電源オフリクエスト信号を送り、子機２Ｅ、２Ｆ、２Ｇ、…は、この電源オフリクエスト信号を受信すると、電源オフステータス信号を親機１Ｂに返して、各子機２Ｅ、２Ｆ、２Ｇ、…の電源をオフする。
【０１３７】
親機１Ｃ及び親機１Ｄにおいても、同様に、オールオフリクエスト信号を受信すると、親機１Ｃの信号を受信している子機２Ｉ、２Ｊ、２Ｋ、…及び親機１Ｄの信号を受信している子機２Ｍ、２Ｎ、２Ｏ、…の電源を順にオフし、子機２Ｉ、２Ｊ、２Ｋ、…及び子機２Ｍ、２Ｎ、２Ｏ、…は、電源オフすると、電源オフステータス信号を親機１Ｃ及び１Ｄに返す。
【０１３８】
このように、子機２Ａ、２Ｂ、２Ｃ、…の電源オフキー２０を押し続けると、子機２Ａ、２Ｂ、２Ｃ、…からはオールオフリクエスト信号が送信される。このオールオフリクエスト信号は、全ての親機１Ａ、１Ｂ、１Ｃ、…で受信され、このオールオフリクエスト信号により、その親機１Ａ、１Ｂ、１Ｃ、…を受信している各子機２Ａ〜２Ｄ、２Ｅ〜２Ｈ、２Ｉ〜２Ｌ、２Ｍ〜２Ｐの電源がオフされる。これにより、システムを構成する全ての機器の電源がオフされることになる。
【０１３９】
８．親機及び子機の構成の一例
図２１は、上述のオーディオ再生システムにおける親機の構成を示すものである。図２１において、５１はディジタルオーディオ信号が記録されている光ディスクであり、コンパクトディスクと称されるものである。
【０１４０】
チェンジャ機構５０には、複数枚のディスク５１、例えば、２００枚のディスクが収納可能とさている。このチェンジャ機構５０に収納されている複数枚のディスク５１の中から所望のディスクがスピンドルモータ５２に装着される。そして、このディスク５１は、スピンドルータ５２により線速度一定で以て回転される。
【０１４１】
ディスク５１に対して、光学ピックアップ５３が設けられる。光学ピックアップ５３は、ディスク５１に対してレーザ光を照射するためのレーザダイオード、このレーザビームをディスク５１に集光させるための対物レンズ、ビームスポットをディスクの半径方向及び離間方向に動かす２軸デバイス、ディスクからの反射光を受光するフォトディテクタ等を有している。この光学ピックアップ５３は、スレッド送りモータ５４により、ディスク５１の半径方向に移動可能とされている。
【０１４２】
光学ピックアップ５３の再生信号は、ＲＦアンプ５５に送られる。ＲＦアンプ５５で、光学ピックアップ５３の出力を用いて、再生ＲＦ信号と、トラッキングエラー信号及びフォーカスエラー信号が形成される。ＲＦアンプ５５で形成されたトラッキングエラー信号及びフォーカスエラー信号は、サーボ回路５６に供給される。サーボ回路５６の出力が光学ピックアップ５３の二軸デバイスに供給され、これにより、トラッキングサーボ及びフォーカスサーボが行われる。
【０１４３】
また、ＲＦアンプ５５からの再生ＲＦ信号は、クロック抽出回路５７に供給される。クロック抽出回路５７で、再生ＲＦ信号が整形され、クロックが抽出される。そして、このクロックがＣＬＶ制御回路５８に供給される。
【０１４４】
ＣＬＶ制御回路５８は、この再生クロックと基準クロックとを比較し、この比較出力に基づいて、スピンドルモータ５２を制御する。これにより、スピンドルモータ５２は、線速度一定に制御される。
【０１４５】
クロック抽出回路５７の出力は、ＥＦＭ（Eight to Fourteen Modulation）及びＣＩＲＣ（Cross Interleave Reed-Solomon Code）回路５９に供給される。ＥＦＭ及びＣＩＲＣ回路５９により、ディスクからの再生信号がＥＦＭ復調され、ＣＩＲＣによるエラー訂正処理が行われる。
【０１４６】
ＥＦＭ及びＣＩＲＣ回路５９の出力は、データ処理回路６０に供給される。データ処理回路６０では、送信データに対する処理が行われる。データ処理回路６０の出力がＣＤＭＡ変調回路６１に供給される。ＣＤＭＡ変調回路６１は、送信データにＰＮ符号を乗算して、送信信号をスペクトラム拡散させるものである。
【０１４７】
ＣＤＭＡ回路６１の出力が送信回路６２に供給される。送信回路６２で送信信号が所定の周波数に変換され、この送信信号が電力増幅される。この送信回路６２の出力がアンテナ７０から出力される。
【０１４８】
全体の動作は、コントローラ６３により制御されている。コントローラ６３には、入力キー６４から入力が与えられる。また、種々の情報がディスプレイ６５に表示される。
【０１４９】
コントローラ６３には、通信処理回路６６が接続される。親機１から子機２Ａ、２Ｂ、２Ｃ、…に制御信号を送る場合には、コントローラ６３からのデータは、通信処理回路６６に供給される。通信処理回路６６の出力が変復調回路６７に供給され、このデータが変調される。変復調回路６７の出力が送受信回路６８に送られ、所定の送信周波数に変換され、電力増幅される。送受信回路６８の出力がアンテナ６９から出力される。
【０１５０】
また、アンテナ６９で子機２Ａ、２Ｂ、２Ｃ、…からの制御信号が受信される。この受信信号は、送受信回路６８から変復調回路６７に供給される。変復調回路６７で、復調処理が行われる。変復調回路６７の出力が通信処理回路６６に供給される。通信処理回路６６の出力からコントローラ６３に供給される。
【０１５１】
装置の電源は、電源回路４０から供給される。この電源回路４０は、コントローラ６３により制御される。そして、コントローラ６３から電源回路４０に与えられる制御信号により、メイン電源のオン／オフを制御することができる。
【０１５２】
図２２は、子機２Ａ、２Ｂ、２Ｃ、…の構成を示すものである。図３において、アンテナ７１で、親機１からのスペクトラム拡散されて送られてきたオーディオデータが受信される。このアンテナ７１の出力が受信回路７２に供給される。受信回路７２で、親機１からの受信信号が選択され、この受信信号が所定の中間周波数信号に変換される。
【０１５３】
受信回路７２の出力がＣＤＭＡ復調回路７３に供給される。ＣＤＭＡ復調回路７３は、送信側と同様なＰＮ符号を乗算して逆拡散処理を行うものである。ＣＤＭＡ復調回路７３の出力がデータ処理回路７４に供給される。
【０１５４】
データ処理回路７４の出力から、ディジタルオーディオ信号が得られる。このディジタルオーディオ信号は、Ｄ／Ａコンバータ７５に供給される。Ｄ／Ａコンバータ７５により、ディジタルオーディオ信号がアナログオーディオ信号に変換される。このＤ／Ａコンバータ７５の出力がアンプ７６に供給される。アンプ７６により、オーディオ信号が電力増幅され、このオーディオ信号がスピーカ７７に供給される。
【０１５５】
全体の動作は、コントローラ８０により制御されている。このコントローラ８０には、入力キー８１から入力が与えられる。また、種々の情報がディスプレイ８２に表示される。また、コントローラ８０には、通信処理回路８３が接続される。
【０１５６】
子機２Ａ、２Ｂ、２Ｃ、…から親機１に制御信号を送る場合には、コントローラ８０からのデータは、通信処理回路８３に供給される。通信処理回路８３の出力が変復調回路８４に供給され、このデータが変調される。変復調回路８４の出力が送受信回路８５に送られ、所定の送信周波数に変換され、電力増幅される。送受信回路８５の出力がアンテナ８６から出力される。
【０１５７】
また、アンテナ８６で親機１からの制御信号が受信される。この受信信号は、送受信回路８５から変復調回路８４に供給される。変復調回路８４で復調処理が行われる。変復調回路８４の出力が通信処理回路８３に供給される。通信処理回路８３の出力がコントローラ８４に供給される。
【０１５８】
装置の電源は、電源回路４１から供給される。この電源回路４１は、コントローラ８０により制御される。そして、コントローラ８０から電源回路４１に与えられる制御信号により、メイン電源のオン／オフを制御することができる。
【０１５９】
このように、このオーディオ再生システムでは、図２１に示す親機において、光学ピックアップ５３によりディスク５１が再生され、ＥＦＭ及びＣＩＲＣ回路５９からは、ディスク５１からの再生ディジタルオーディオデータに基づくディジタルオーディオデータが出力される。この再生データは、ＣＤＭＡ変調回路６１でスペクトラム拡散され、送信回路６２により所定の周波数に変換されて、アンテナ７０から子機に向けて出力される。
【０１６０】
そして、この親機１からの信号は、図２２における子機で受信され、ＣＤＭＡ復調回路７３により逆拡散され、データ処理回路７４からは、ディスク５１からの再生データに基づくディジタルオーディオデータが得られる。このディジタルオーディオ信号は、Ｄ／Ａコンバータ７５によりアナログオーディオ信号に変換され、アンプ７６により増幅され、スピーカ７７からは、親機のディスク５１からの再生データに基づく再生音が出力される。
【０１６１】
親機のコントローラ６３と、各子機のコントローラ８０とは、無線により双方向にデータ通信を行うことができる。これにより、子機側の入力キーを操作して親機１側の動作を制御したり、親機側の入力キーを操作して子機側の動作を制御したりすることができる。
【０１６２】
【発明の効果】
この発明によれば、親機と複数の子機とからなるシステムにおいて、親機及び子機の電源オフキーを押して直ぐに離すと、各機器の電源がオフされ、親機及び子機の電源を押し続けると、システムの全ての機器の電源をオフさせることができる。すなわち、親機側の電源オフキーを押し続けると、その親機からの信号を受信している子機の電源が順に遮断される。子機側の電源オフキーを押し続けると、オールオフリクエスト信号が親機に送られる。このオールオフリクエスト信号が親機で受信されると、その親機からの信号を受信している他の子機の電源が順に遮断される。
【図面の簡単な説明】
【図１】この発明が適用されたオーディオシステムの一例のブロック図である。
【図２】この発明が適用されたオーディオシステムにおける親機のキー配列の平明図である。
【図３】この発明が適用されたオーディオシステムにおける子機のキー配列の平明図である。
【図４】制御データの説明に用いる略線図である。
【図５】この発明が適用できるオーディオシステムにおける親機側の電源オン操作時の処理の一例のフローチャートである。
【図６】この発明が適用できるオーディオシステムにおける子機側の電源オン操作時の処理の一例のフローチャートである。
【図７】この発明が適用できるオーディオシステムにおける親機側の電源オフ操作時の処理の一例のフローチャートである。
【図８】この発明が適用できるオーディオシステムにおける子機側の電源オフ操作時の処理の一例のフローチャートである。
【図９】この発明が適用できるオーディオシステムにおける親機からの電源オン操作したときの一例の動作説明に用いるシーケンス図である。
【図１０】この発明が適用できるオーディオシステムにおける子機からの電源オン操作したときの一例の動作説明に用いるシーケンス図である。
【図１１】この発明が適用できるオーディオシステムにおける親機からの電源オフ操作したときの一例の動作説明に用いるシーケンス図である。
【図１２】この発明が適用できるオーディオシステムにおける子機からの電源オフ操作したときの一例の動作説明に用いるシーケンス図である。
【図１３】この発明が適用できるオーディオシステムにおける親機側の電源オン操作時の処理の他の例のフローチャートである。
【図１４】この発明が適用できるオーディオシステムにおける子機側の電源オン操作時の処理の他の例のフローチャートである。
【図１５】この発明が適用できるオーディオシステムにおける親機側の電源オフ操作時の処理の他の例のフローチャートである。
【図１６】この発明が適用できるオーディオシステムにおける子機側の電源オフ操作時の処理の他の例のフローチャートである。
【図１７】この発明が適用できるオーディオシステムにおける親機からの電源オン操作したときの他の例の動作説明に用いるシーケンス図である。
【図１８】この発明が適用できるオーディオシステムにおける子機からの電源オン操作したときの他の例の同サ説明に用いるシーケンス図である。
【図１９】この発明が適用できるオーディオシステムにおける親機からの電源オフ操作したときの他の例の動作説明に用いるシーケンス図である。
【図２０】この発明が適用できるオーディオシステムにおける子機からの電源オフ操作したときの他の例の動作説明に用いるシーケンス図である。
【図２１】この発明が適用できるオーディオシステムにおける親機の構成の一例のブロック図である。
【図２２】この発明が適用できるオーディオシステムにおける子機の構成の一例のブロック図である。
【符号の説明】
１・・・親機、２Ａ、２Ｂ、２Ｃ・・・子機、９、１９・・・電源オンキー、１０、２０・・・電源オフキー
【図１】
0003864513.tif 000002
【図２】
0003864513.tif 000003
【図３】
0003864513.tif 000004
【図４】
0003864513.tif 000005
【図５】
0003864513.tif 000006
【図６】
0003864513.tif 000007
【図７】
0003864513.tif 000008
【図８】
0003864513.tif 000009
【図９】
0003864513.tif 000010
【図１０】
0003864513.tif 000011
【図１１】
0003864513.tif 000012
【図１２】
0003864513.tif 000013
【図１３】
0003864513.tif 000014
【図１４】
0003864513.tif 000015
【図１５】
0003864513.tif 000016
【図１６】
0003864513.tif 000017
【図１７】
0003864513.tif 000018
【図１８】
0003864513.tif 000019
【図１９】
0003864513.tif 000020
【図２０】
0003864513.tif 000021
【図２１】
0003864513.tif 000022
【図２２】
0003864513.tif 000023